(57)【要約】      （修正有）【課題】検体をプレパラート作製用プレート上に載せられ、そしてカバーガラスが被せられた後、長時間経過した後に分析を行なっても、検体が変質することがなく、プレパラート作製用プレートのベース部材とカバーガラス間のギャップが均一となり、カバーガラスが薄くなっても割れず、泡が発生しにくいカバーガラス作製用プレート、及びこのカバーガラス作製用プレートにカバーガラスを被せたプレパラートを提供する。【解決手段】プレパラート作製用プレートは、無機材料からなるベースプレート１と、無機材料からなり、前記ベースプレートの一方の面に接しており、かつ検体の観察領域外への移動を抑制するギャップ形成部材２を含む。【選択図】図３
2014196994.tif 000002
【特許請求の範囲】
【請求項１】
無機材料からなるベースプレートと、
無機材料からなり、前記ベースプレートの一方の主面に接して配置されてなるギャップ形成部材を含むプレパラート作製用プレート。
【請求項２】
前記ギャップ成形部材は断面が矩形である請求項１に記載のプレパラート作製用プレート。
【請求項３】
前記ギャップ形成部材はガラスからなる請求項１または２に記載のプレパラート作製用プレート。
【請求項４】
前記ギャップ形成部材が配置されてなる前記ベースプレートの一方の主面から、前記ギャップ形成部材が前記ベースプレートと接している部位の他端までの距離は５〜１００μｍである請求項１から３のいずれか一項に記載のプレパラート作製用プレート。
【請求項５】
前記ベースプレートと前記ギャップ形成部材は、有機物を使用せずに接合されてなる請求項１から４のいずれか一項に記載のプレパラート作製用プレート。
【請求項６】
前記ベースプレートと前記ギャップ形成部材は、陽極接合により接合されてなる請求項５に記載のプレパラート作製用プレート。
【請求項７】
前記ギャップ形成部材は前記ベースプレート上に２箇所以上設けられている請求項１から６のいずれか一項に記載のプレパラート作製用プレート。
【請求項８】
前記ギャップ形成部材は、平面視において、１箇所以上の屈曲部を有する形状である請求項１から７のいずれか一項に記載のプレパラート作製用プレート。
【請求項９】
前記ギャップ形成部材は２箇所以上の支持領域を形成する形状である請求項１から８のいずれか一項に記載のプレパラート作製用プレート。
【請求項１０】
無機材料からなるベースプレートと、
無機材料からなり、前記ベースプレートの一方の主面に接して配置されてなるギャップ形成部材と、
前記ギャップ形成部材と接するように配置されたカバーガラスを含むプレパラート。
【請求項１１】
前記ベースプレートと前記カバーガラスとの間隔は、毛細管現象を引き起こすことが可能な間隔である請求項１０に記載のプレパラート。
【請求項１２】
前記ベースプレートと前記カバーガラスとの間隔は５〜１００μｍである請求項１０または１１に記載のプレパラート。
【請求項１３】
血液または体液の分析に用いられる請求項１０から１２のいずれか一項に記載のプレパラート。
【発明の詳細な説明】
【技術分野】
【０００１】
本発明は、検体分析用プレパラートに関する。より詳細には、血液または体液の分析に用いられる検体分析用プレパラートに関する。
【背景技術】
【０００２】
血液または体液などの検体を分析する際、検体はプレパラート作製用プレート上に載せられ、顕微鏡等により観察される。検体をプレパラート作製用プレート上に載せ、そして、カバーガラスを検体に被せてプレパラートを作製することで、検体の観察領域外への移動を制限することができる。検体に含まれる所定の成分の個数を数える場合、例えば、血液中の白血球または赤血球や、精液中の精子を数える場合、プレパラート作製用プレート上の検体の観察領域外への移動を確実に制限することが重要となる。これに加え、カバーガラスが、検体を押し潰さないようにすることも重要となる。つまり、ギャップを均一にすることが重要となる。
【０００３】
特許文献１は、生物的調査のためのカウンティングコンパートメントを開示している。このカウンティングコンパートメントは、二枚の透明プレートからなり、それらの間に、検体の流通経路が形成されている。検体の流通経路のために、細長片を透明プレートに印刷し、流通経路となる箇所に、ポリエステル接着剤等の接着剤とアルミニウム粒子を、細長片が印刷された面に塗布し、細長片、接着剤及びアルミニウム粒子を二枚の透明プレートで挟み込み、押圧することにより作製される。そして、カウンティングコンパートメントは、入り口から検体を注入することにより使用される。
【０００４】
特許文献２は、尿などの検体を滴下するためのプレパラート作製用プレートを開示している。このプレパラート作製用プレートは、スライドグラス上に、液体の拡散を抑制する囲み帯を形成することで滞留帯を形成すること、液体試料を滞留帯に滴下した後に、カバーガラスを被せることが記載されている。
【先行技術文献】
【特許文献】
【０００５】
【特許文献１】特表平１１−５０１７２１号公報
【特許文献２】特開平０７−１１３７３１号公報
【発明の概要】
【発明が解決しようとする課題】
【０００６】
最近の検体の分析においては、長時間放置したとしても、プレパラートを構成している部材により、検体が変質しないことが重要となる。これは、従来と比べて処理を行う検体数が増加しており、検体をプレパラート作製用プレート上に載せられ、そしてカバーガラスが被せられた後、長時間経過した後に分析を行う機会が増えているためである。特許文献１に開示されているように、カウンティングコンパートメントの構成部材として、インク（細長片）や接着剤のような有機材料を使用した場合、有機物が検体に溶出し、検体を変質させるため、分析が困難となるおそれがある。特許文献２の場合、囲み帯の材質についての記載はなく、また、プレパラートの構成部材により検体が変質する、という問題について認識されていない。
【０００７】
また、カバーガラスを被せた際において、プレパラート作製用プレートのベース部材とカバーガラス間のギャップが均一であれば、検体に含まれる成分の観察領域外への移動を確実に制限することが可能となる。また、ギャップが不均一である場合、想定よりもギャップが小さい部分が存在してしまうため、その部分における検体が押し潰されるおそれがある。特許文献１の場合、ギャップ調整のため、細長片やアルミナ粒子を用いているが、アルミナ粒子の最大粒子のばらつきが大きく、ギャップを均一にすることが困難であった。
【０００８】
また、検体を観察するためには、カバーガラスを薄くすることが好ましい。そして、カバーガラスを被せた際に、浮き上がりを抑え、ギャップを安定にしようとすると強く押さえる必要がある。ギャップの調整のために、アルミナ粒子のような球状体を用いると、カバーガラスが球状体と点接触する。このように、点接触した場合、接触点での応力が大きくなり、通常の薄いカバーガラスでは割れてしまうという問題が起こる。
【０００９】
また、特許文献1に開示されているように、カウンティングコンパートメントの構成部材として、有機材料を用いると、検体を注入した際に、泡が発生するという問題があった。これは、インクや接着剤のような有機材料は疎水性であるからである。
【００１０】
本発明は上述したような問題点に鑑み、検体をプレパラート作製用プレート上に載せられ、そしてカバーガラスが被せられた後、長時間経過した後に分析を行なったとしても、検体が変質することがなく、プレパラート作製用プレートのベース部材とカバーガラス間のギャップが均一となり、カバーガラスが薄くなってもカバーガラスが割れず、泡が発生しにくいカバーガラス作製用プレート、及びこのカバーガラス作製用プレートにカバーガラスを被せたプレパラートを提供することを課題とする。
【課題を解決するための手段】
【００１１】
上記の課題を解決する為に鋭意努力を重ねた結果、プレパラート作製用プレートの材質を従来とは異なる材質とすることで、上記課題を解決できることを見出し、ここにその内容を提示するものである。
【００１２】
すなわち、本発明のプレパラート作製用プレートは、無機材料からなるベースプレートと、無機材料からなり、前記ベースプレートの一方の主面に接して配置されてなるギャップ形成部材を含む。
【００１３】
このように、プレパラート作製用プレートは、無機材料からなるベースプレートと、従来とは異なり、無機材料からなるギャップ形成部材を含んでいるため、カバーガラス作製用プレートを構成する材料の成分が検体に溶出し、検体を変質させるおそれがなくなる。
【００１４】
また、本発明のプレパラート作製用プレートは、前記ギャップ成形部材の断面が矩形である。
【００１５】
このように、ギャップ形成部材の断面が矩形であるため、ベースプレート上と接する面が増え、ベースプレート上への配置が容易となる。また、カバーガラスを被せた際に、カバーガラスとギャップ形成部材が面で接触するため、点で接触した時と比べて割れにくくなる。さらに、ギャップ部材の断面が矩形であることにより、球形等の場合と比べてギャップ形成部材の高さを調整しやすく、それによりギャップを調整しやすくなる。よって、ギャップが均一となる。
【００１６】
また、本発明のプレパラート作製用プレートは、前記ギャップ形成部材がガラスからなる。
【００１７】
このように、ギャップ形成部材がガラスからなることで、他の無機材料を用いた時と比べて、ガラスに含まれる成分が検体に溶出しにくく、検体が変質するおそれがさらに小さくなる。また、ガラスは親水性であるため、検体をプレパラート作製用プレート上に載せても、泡が発生するおそれが無くなる。
【００１８】
また、本発明のプレパラート作製用プレートは、前記ギャップ形成部材が配置されてなる前記ベースプレートの一方の主面から、前記ギャップ形成部材が前記ベースプレートと接している部位の他端までの距離は５〜１００μｍであることが好ましい。なお、血液または体液などの検体を用いる場合、前記ギャップ形成部材が前記ベースプレートと接している部位の他端までの距離は１０〜２０μｍであることがより好ましい。
【００１９】
このように、ベースプレートの一方の主面から、ギャップ形成部材が前記ベースプレートと接している部位の他端までの距離が５〜１００μｍであれば、プレパラート作製用プレートにカバーガラスを被せてプレパラートを作製した場合、ギャップを十分に小さくすることができ、そのことにより、検体の観察領域外への移動を確実に抑制でき、正確な分析を行うことが可能となる。
【００２０】
また、本発明のプレパラート作製用プレートは、前記ベースプレートと前記ギャップ形成部材が、有機物を使用せずに接合されてなる。
【００２１】
ベースプレートとギャップ形成部材との接合は、例えば陽極接合やレーザーによる接合が挙げられる。このように、ベースプレートとギャップ形成部材が有機物の接着剤無しに接合してなることで、検体が変質するおそれがない。また、これらの接合は、接合強度が高く、検体が観察領域外へ移動することを確実に抑制することができる。また、振動等によりギャップ形成部材が移動してしまうことがない。
【００２２】
また、本発明のプレパラート作製用プレートは、前記ギャップ形成部材が前記ベースプレート上に２箇所以上設けられている。
【００２３】
このように、ギャップ形成部材がベースプレート上に２箇所以上設けられているため、プレパラート作製用プレートにカバーガラスを被せてプレパラートを作製した場合において、カバーガラスを２箇所で支えることとなり、カバーガラスがプレパラート作製用プレートのベースプレートに接するおそれがなくなる。
【００２４】
また、本発明のプレパラート作製用プレートは、ギャップ形成部材が、平面視において、１箇所以上の屈曲部を有する形状である。
【００２５】
このように、ギャップ形成部材が、平面視において、１箇所以上の屈曲部を有することで、プレパラート作製用プレートにカバーガラスを被せてプレパラートを作製した場合において、カバーガラスの重心が安定し、カバーガラスがプレパラート作製用プレートのベースプレートに接しにくくなる。
【００２６】
また、本発明のプレパラート作製用プレートは、前記ギャップ形成部材が２箇所以上の支持領域を形成する形状である。
【００２７】
このように、ギャップ形成部材が２箇所以上の支持領域を形成しているため、プレパラート作製用プレートにカバーガラスを被せてプレパラートを作製した場合において、カバーガラスがプレパラート作製用プレートのベースプレートに接するおそれがなくなる。
【００２８】
本発明のプレパラートは、無機材料からなるベースプレートと、無機材料からなり、前記ベースプレートの一方の主面に接して配置されてなるギャップ形成部材と、前記ギャップ形成部材と接するように配置されたカバーガラスを含む。
【００２９】
このように、上述のプレパラート作製用プレートにおいて、カバーガラスを、ギャップ形成部材と接するように配置することで、ベースプレートとカバーガラスとのギャップが均一となり、検体の観察領域外への移動を確実に抑制することができる。また、カバーガラス作製用プレートを構成する材料の成分が検体に溶出し、分析が困難となるおそれがなく、泡が発生するおそれが無くなる。
【００３０】
本発明のプレパラートは、前記ベースプレートと前記カバーガラスとの間隔が、毛細管現象を引き起こすことが可能な間隔である。
【００３１】
このように、ベースプレートとカバーガラスとの間隔を、毛細管現象を引き起こすことが可能な間隔とすることで、ベースプレートとカバーガラスの間において、検体が均一に広がる。
【００３２】
また、本発明のプレパラートは、前記ベースプレートと前記カバーガラスとの間隔が５〜１００μｍである。
【００３３】
このように、ベースプレートとカバーガラスとの間隔が５〜１００μｍであれば、ギャップを十分に小さくすることができ、そのことにより、検体の観察領域外への移動を確実に抑制でき、正確な分析を行うことが可能となる。
【００３４】
また、本発明のプレパラートは、血液または体液の分析に用いられる。
【００３５】
血液や精液などの体液に含まれる成分は、移動しやすく、かつ、有機物により変質しやすいため、これらの分析に本発明のプレパラートを用いることで、これらの問題を解決することができる。
【発明の効果】
【００３６】
以上のように、本発明のプレパラート作製用プレート及びプレパラートは、検体を変質させることなく、ベースプレートとカバーガラス間のギャップが均一であり、カバーガラスが薄くなっても割れず、泡が発生しにくい。そのため、血液や体液の分析等に好適に使用することができる。
【図面の簡単な説明】
【００３７】
【図１】図１は、本発明の第一実施形態におけるプレパラート作製用プレートの概略平面図である。
【図２】図２は、本発明の第一実施形態におけるプレパラート作製用プレートの側面図である。
【図３】図３は、本発明の第一実施形態におけるプレパラート作製用プレートにカバーガラスを配置して作製したプレパラートの平面図（ａ）及び側面図（ｂ）である。
【図４】図４は、本発明の第二実施形態（ａ）、第三実施形態（ｂ）、第四実施形態（ｃ）、及び第五実施形態（ｄ）におけるプレパラート作製用プレートの概略平面図である。
【発明を実施するための形態】
【００３８】
以下、本発明を実施するための形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００３９】
図１は、本発明の第一実施形態におけるプレパラート作製用プレート１０の概略平面図である。図２は、本発明の第一実施形態におけるプレパラート作製用プレート１０の概略側面図である。図１及び図２に示すように、本発明のプレパラート作製用プレート１０は、平板状のベースプレート１と、ギャップ形成部材２とを備えている。ベースプレート１は、対向する２つの主面Ｓ１、Ｓ２を有しており、ギャップ形成部材２は、このベースプレート１の一方の主面Ｓ１に接するように配置されている。なお、第一実施形態において、ギャップ形成部材２は、ベースプレート１上に２つ設けられている。
【００４０】
ベースプレート１は、無機材料からなる。無機材料としては、例えば、ガラス、セラミック、金属などが挙げられる。これらの中でも、ガラスであれば、他の無機材料を用いた時と比べて、ガラスに含まれる成分が検体に溶出しにくいため好ましい。また、ベースプレート１がガラスのように透明であれば、検体の観察時に、ベースプレート１の下方から光を照射することができるため、観察視認性が良好となるため好ましい。ベースプレート１の厚みとしては、割れにくさ及び重量の観点から、０．１〜３ｍｍであることが好ましい。
【００４１】
ギャップ形成部材２は、無機材料からなる。そして、ギャップ成形部材２は、図３（ｂ）に記載のカバーガラス３とベースプレート１との間のギャップを保つ為に設けられてなる。また、その他にも、検体がプレパラート作製用プレート上に載せられた際において、検体の観察領域外への移動を抑制する役割も果たし得る。ここで、検体の観察領域外への移動を抑制する、とは、検体が完全に静止することのみならず、検体が、所定の方向に移動する速度を遅くしたり、流れ方向を変えることも含まれる。例えば、図１及び図２においては、ギャップ形成部材２が２箇所設けられており、検体が、図１に示す、ギャップ形成部材２の間の領域Ｘに滴下された場合、ギャップ形成部材２は、紙面の手前側から見て左右方向への移動を抑制する。
【００４２】
無機材料としては、例えば、ガラス、セラミック、金属などが挙げられる。これらの中でも、ガラスであれば、他の無機材料を用いた時と比べて、ガラスに含まれる成分が検体に溶出しにくいため好ましい。
【００４３】
ギャップ形成部材２は、断面が矩形である。このように、矩形とすることで、断面が円形である場合と比べて、ベースプレート１との接触面積が増える。そのため、転がることによりベースプレート１上での移動やベースプレート１から転がり落ちる可能性が低くなり、このことで、ベースプレート１上への配置が容易となる。
【００４４】
ギャップ成形部材２がベースプレート１及びカバーガラス３と接触する部位の表面粗さＲａは、０．５ｎｍ以下であることが好ましく、０．３ｎｍ以下であることがより好ましい。表面粗さＲａが０．５ｎｍ以下であれば、ベースプレート及びカバーガラス３とギャップ成形部材２との接合が容易となる。
【００４５】
ギャップ形成部材２がベースプレート１と接している部位である接触部位Ａは接合されてなる。接合されることで、接触部位Ａの隙間が無くなり、その間から検体が拡散することを確実に抑制することができる。また、振動等によりギャップ形成部材が移動することがない。なお、ベースプレート１とギャップ形成部材２との接合は、例えば陽極接合やレーザーによる接合が挙げられる。この中でも陽極接合であれば、検体がギャップ形成部材２とベースプレートの接している部位全体が接合されるため、隙間を確実に無くすことができる。このように、陽極接合を行うことを考慮に入れると、ベースプレート１とギャップ形成部材２との間にＡｌなどの金属膜を形成し、またはベースプレート１またはギャップ形成部材２に金属膜を蒸着し、ベースプレート１及びギャップ形成部材２は、共にアルカリ金属酸化物を含むガラスからなることが好ましい。また、ギャップ形成部材２の幅Ｉは、１〜１５ｍｍであることが好ましい。この幅であれば、カバーガラス３を安定的に配置させることができる。なお、より好ましい範囲は、３〜１０ｍｍである。
【００４６】
陽極接合によりベースプレート１とギャップ形成部材２とを接合する場合、ベースプレート１及びギャップ形成部材２は、ガラス組成として、質量％で、Ｌｉ２Ｏ＋Ｎａ２Ｏ＋Ｋ２Ｏ  ５〜３０％であることで、接合力が大きくなるため好ましい。このようなガラスとして、窓ガラスとして用いられるソーダガラス、医療用管ガラスとして用いられるホウケイ酸ガラス等が挙げられる。
【００４７】
また、ギャップ形成部材２の断面を矩形とすることで、図３に記載とカバーガラス３とギャップ形成部材２は面で接触するため、点で接触した時と比べてカバーガラス３が割れにくくなる。また、矩形であれば、ギャップ形成部材２の断面が円形であったり、球形である時と比較して、後述する距離Ｈを一定にすることが容易となる。
【００４８】
ギャップ形成部材２は、ベースプレート１の一方の主面Ｓ１から、ギャップ形成部材２がベースプレート１と接している部位（接触部位Ａ）の他端までの距離Ｈは５〜１００μｍである。このように、距離Ｈを５〜１００μｍとすることで、図３に記載のカバーガラス３とベースプレート１とのギャップを十分に小さくすることができる。そのため、血液や体液などに含まれる、非常に小さな成分の移動を抑制することができる。好ましい距離Ｈは１０〜３０μｍであり、更に好ましい距離Ｈは１０〜２０μｍである。なお、ギャップ形成部材２は、図１に示すように、ベースプレート１の下方長辺から上方長辺まで延伸した長尺物形状であるが、全体に亘って距離Ｈであることが、カバーガラス３とベースプレート１とのギャップを均一にする観点から見て好ましい。仮に距離Ｈが一定とならない場合、Ｈの偏差は、距離Ｈが１０μｍ以下である場合は、距離Ｈの平均値に対して±１μｍ以内となることが好ましく、距離Ｈが１１〜３０μｍである場合は、距離Ｈの平均値に対して±２μｍ以内となることが好ましく、距離Ｈが３１〜５０μｍである場合は、距離Ｈの平均値に対して±３μｍ以内となることが好ましく、距離Ｈが５１μｍ以上である場合は、距離Ｈの平均値に対して±１０％以内となることが好ましい。また、２つのギャップ形成部材２の高さが同一であることが、カバーガラス３とベースプレート１とのギャップを均一にする観点から見て好ましい。仮に２つのギャップ形成部材２の高さは、同一でない場合、２つのギャップ形成部材２の高さの差は、±１０％以内となることが好ましい。
【００４９】
図３は、本発明の第一実施形態におけるプレパラート作製用プレートにカバーガラスを配置して作製したプレパラートの平面図（ａ）及び側面図（ｂ）である。なお、カバーガラス３は透明であり、図３の平面図において、カバーガラス３により遮蔽される部分も実線で表す。カバーガラス３は、ギャップ形成部材２がベースプレート１と接している部位である接触部位Ａの他端と接している。なお、カバーガラス３は、２つのギャップ形成部材２と接している。このように、ギャップ成形部材２が２箇所に設けられていると、カバーガラス３を２箇所で支えることとなるため、カバーガラス３がベースプレート１に接触することがない。また、距離Ｈを５〜１００μｍとすることで、カバーガラス３とベースプレート１とのギャップを十分に小さくすることができ、血液や体液などに含まれる、非常に小さな成分の観察領域外への移動を抑制することができる。
【００５０】
例えば、図３に示すように、距離Ｈが５〜１００μｍであれば、検体である血液Ｋに含まれる白血球Ｌの観察領域内での移動を抑制することができ、それにより血液中の白血球の数のカウントが容易に行える。
【００５１】
なお、検体をプレパラート上に載せる方法としては、カバーガラス３を取り外された状態で、所定位置に検体を滴下した後にカバーガラス３を配置する方法、及び予めカバーガラス３とギャップ形成部材２とを接合させ、プレパラート１００を作製しておき、検体を領域Ｙに滴下することで、毛細管現象により検体をベースプレート１とカバーガラス３との間に移動させる方法が適用できる。なお、後者の方法の場合、カバーガラス３は、ギャップ成形部材２と接合されていることが好ましい。接合方法としては、陽極接合、レーザーによる接合が挙げられる。陽極接合を行う場合、ベースプレート１とギャップ形成部材２との間にＡｌなどの金属膜を形成し、またはベースプレート１またはギャップ形成部材２に金属膜を蒸着し、ギャップ形成部材２及びカバーガラス３は、共に、ガラス組成として、質量％で、Ｌｉ２Ｏ＋Ｎａ２Ｏ＋Ｋ２Ｏ  ５〜３０％であることが好ましい。
【００５２】
次に、本発明の他の実施形態について説明する。図４は、本発明の第二実施形態（ａ）、第三実施形態（ｂ）、第四実施形態（ｃ）、及び第五実施形態（ｄ）におけるプレパラート作製用プレートの概略平面図である。なお、第一実施形態と共通する部分は同じ符号とした。以下において、第一実施形態と異なる分部を中心に説明する。
【００５３】
第二実施形態において、ギャップ形成部材１２は屈曲部Ｃを有している。このように、屈曲部Ｃを設けることにより、直線部Ｄ及び直線部Ｅにそれぞれ支持領域が形成される。このように２つの支持領域が形成されることで、カバーガラス３をギャップ形成部材１２の直線部Ｄ及び直線部Ｅと接するように配置する場合、２箇所でカバーガラス３を支えることになり、カバーガラス３を配置した際の重心の安定性が向上し、その結果、ギャップを均一にすることができる。
【００５４】
第三実施形態において、ギャップ形成部材２２は２つの屈曲部Ｃ’を有している。このように、２つの屈曲部Ｃ’を設けることにより、直線部Ｄ’、直線部Ｅ’及び直線部Ｆ’にそれぞれ支持領域が形成される。このように３つの支持領域が形成されることで、カバーガラス３をギャップ形成部材２２の直線部Ｄ’、直線部Ｅ’及び直線部F‘のうちの少なくとも２箇所に接するように配置する場合、２箇所以上でカバーガラス３を支えることになるため、カバーガラス３を配置した際の安定性が向上し、その結果、ギャップを均一にすることができる。
【００５５】
また、検体Ｋをギャップ形成部材２２の直線部Ｄ’、直線部Ｅ’及び直線部Ｆ’に囲まれた領域に滴下することで、第一実施形態及び第二実施形態と比べて検体の移動方向が、より制限される。
【００５６】
第四実施形態において、ギャップ形成部材３２は２つ設けられており、これらのギャップ形成部材３２は、重なり合わないように接している。このように、ギャップ形成部材３２どうしが接した部分Ｇが存在することで、直線部Ｄ’’及び直線部Ｅ’’及びギャップ形成部材３２どうしが接した部分Ｇにそれぞれ支持領域が形成される。カバーガラス３をギャップ形成部材３２の直線部Ｄ’’及び直線部Ｅ’’と接するように配置する場合、２箇所でカバーガラス３を支えることになり、カバーガラス３を配置した際の安定性が向上し、その結果、ギャップを均一にすることができる。
【００５７】
第五実施形態において、ギャップ形成部材４２は２つ設けられており、それぞれ屈曲部Ｃ’’’を有している。このように、屈曲部Ｃ’’’を設けることにより、直線部Ｄ’’’及び直線部E’’’にそれぞれ支持領域が形成される。このように４つの支持領域が形成されることで、カバーガラス３をギャップ形成部材４２の直線部Ｄ’’’及び直線部Ｅ’’’と接するように配置する場合、４箇所でカバーガラス３を支えることになり、カバーガラス３を配置した際の安定性が向上し、その結果、ギャップを均一にすることができる。また、２つのギャップ形成部材４２の直線部Ｄ’’’、直線部Ｄ’’’どうし、及び直線部Ｅ’’’、直線部Ｅ’’’どうしが対向し、２つのギャップ形成部材が接触しないように配置することで、検体注入部位Ｈが２箇所形成される。そして、毛細管現象により、検体を検体注入部位Ｈから注入することで、容易に検体をプレパラート内に注入できるとともに、２つのギャップ形成部材４２に囲まれている為、検体の移動方向が、より制限される。
【００５８】
なお、上記の実施形態では、ギャップ形成部材を２箇所設けた場合、及びギャップ形成部材に屈曲部を設けた場合について説明したが、ギャップ形成部材を３箇所以上設けた場合、及びギャップ形成部材が１箇所で、且つ屈曲部が設けられていないギャップ形成部材を用いても良い。この場合、ギャップ形成部材の幅は、１０ｍｍ以上であることが好ましく、また、カバーガラスとギャップ形成部材を接合しておくことが好ましい。
【符号の説明】
【００５９】
１                              ベースプレート
２、１２、２２、３２、４２      ギャップ形成部材
３                              カバーガラス
１０、２０、３０、４０、５０    プレパラート作製用プレート
１００                          プレパラート
【図１】
2014196994.tif 000003
【図２】
2014196994.tif 000004
【図３】
2014196994.tif 000005
【図４】
2014196994.tif 000006